(57)【特許請求の範囲】
【請求項１】
前込め式で砲腔に装填した砲弾を抽出する装置であって、
分離膜によって内部空間を二分した収容器と、収容器の一方の空間に収容したガス発生剤と、収容器の他方の空間に収容され且つガス発生剤を溶解して化学反応によりガスを発生させる開始剤と、収容器の一方の空間と砲腔の底部とを接続するガスホースを備え、
収容器の分離膜が、人為的な外力により破壊可能であることを特徴とする前込め式砲弾の抽出装置。
【請求項２】
ガス発生剤が、粉末であって、収容器を人為的に圧縮することにより分離膜を破壊することを特徴とする請求項１に記載の前込め式砲弾の抽出装置。
【請求項３】
ガス発生剤が、所定形状に固形化してあり、このガス発生剤を人為的に破砕することにより分離膜を破壊することを特徴とする請求項１に記載の前込め式砲弾の抽出装置。
【発明の詳細な説明】
【技術分野】
【０００１】
本発明は、砲に対して前込め式で装填（砲口装填）した砲弾を外部に抽出するのに用いられる前込め式砲弾の抽出装置に関するものである。
【背景技術】
【０００２】
前込め式の砲弾としては、例えば非特許文献１に記載されているように、迫撃砲が周知である。従来、このような前込め式砲弾において、装填後に不発射が発生した場合には、その砲弾を外部に抽出するために、砲弾を把持する器具やガスボンベを備えた抽出装置を使用していた。
【０００３】
砲弾を把持する器具は、把持用の爪部を有すると共に、ロープが連結してあり、砲腔内に入れて砲弾の頭部を爪部で把持した後、ロープを牽引して砲弾を外部に引き上げるものである。また、ガスボンベは、砲の底部に高圧ガスを供給し、その圧力により砲弾を外部に押出すものである。
【先行技術文献】
【非特許文献】
【０００４】
【非特許文献１】『最新防衛技術大成』Ｒ＆Ｄプランニング、昭和６０年２月１１日、第１８６頁
【発明の概要】
【発明が解決しようとする課題】
【０００５】
しかしながら、上記したような従来の前込め式砲弾の抽出装置において、砲弾を把持する器具を備えたものでは、砲弾の頭部を把持する作業や砲弾を引き上げる作業において着火する可能性が零ではないので、安全上の問題点があった。これに対して、ガスボンベを備えたものでは、安全性は向上するものの、装備全体が大型化するという問題点があり、このような問題点を解決することが課題であった。
【０００６】
本発明は、上記従来の課題に着目して成されたものであって、安全性の確保と装備の小型軽量化の両立を実現することができる前込め式砲弾の抽出装置を提供することを目的としている。
【課題を解決するための手段】
【０００７】
本発明の前込め式砲弾の抽出装置は、前込め式で砲腔に装填した砲弾を抽出する装置であって、分離膜によって内部空間を二分した収容器と、収容器の一方の空間に収容したガス発生剤と、収容器の他方の空間に収容され且つガス発生剤を溶解して化学反応によりガスを発生させる開始剤と、収容器の一方の空間と砲腔の底部とを接続するガスホースを備え、収容器の分離膜が、人為的な外力により破壊可能である構成としており、上記構成をもって従来の課題を解決するための手段としている。
【０００８】
上記の構成において、収容器は、樹脂製の袋体等のように変形自在なものを使用することができ、ガス発生剤及び開始剤に対する耐蝕性や、発生するガスの圧力に耐え得る強度を有している。また、分離膜は、例えば樹脂製のものを使用することができ、ガス発生剤及び開始剤に対する耐蝕性を有するものである。さらに、ガス発生剤は、粉末のものや所定形状に固形化したものを用いることができる。他方、開始剤は、主に液体のものを用いることができる。
【発明の効果】
【０００９】
本発明の前込め式砲弾の抽出装置は、抽出に際して砲弾を直接的に取扱う必要が無いうえに、ガス発生剤と開始剤を用いた使い切り式の装置になるので、安全性の確保と装備の小型軽量化の両立を実現することができる。
【図面の簡単な説明】
【００１０】
【図１】本発明の前込め式砲弾の抽出装置の一実施形態を示す説明図である。
【図２】本発明の前込め式砲弾の抽出装置の他の実施形態を示す説明図である。
【発明を実施するための形態】
【００１１】
図１に示す抽出装置は、前込め式で砲Ｃに装填した砲弾Ｓを抽出する装置である。砲Ｃは、底部が閉塞された砲腔Ｃａを有すると共に、図示しない支持体によって所定角度に支持してあり、砲腔Ｃａの底部には、外部に連通する接続部Ｃｂが設けてある。接続部Ｃｂは、常態において、適宜の栓部材により強固に閉塞してある。砲弾Ｓは、尾部に装薬が充填してあり、装薬への着火により発射されるのであるが、不発射になった場合に、抽出装置により外部に抽出される。
【００１２】
抽出装置は、分離膜１によって内部空間を二分した収容器２と、収容器２の一方の空間２Ａに収容したガス発生剤３と、収容器２の他方の空間２Ｂに収容され且つガス発生剤３を溶解して化学反応によりガスを発生させる開始剤４と、収容器２の一方の空間２Ａと砲腔Ｃａの底部とを接続するガスホース５を備えている。
【００１３】
収容器２は、樹脂製の変形自在な袋体であって、ガス発生剤３や開始剤４に対する耐蝕性を有すると共に、発生するガスの圧力に耐え得る強度を有している。分離膜１は、例えば、収容器２よりも低強度の樹脂製であって、ガス発生剤３や開始剤４に対する耐蝕性を有すると共に、人為的な外力により破壊可能なものである。
【００１４】
ガス発生剤３は、とくに限定されるものではないが、例えば、炭酸水素ナトリウムとクエン酸を混合したもので、この実施形態では粉末である。これに対して、開始剤４は、水であり、ガス発生剤３を溶解して化学反応によりガス（二酸化炭素）を発生させる。ガスホース５は、発生するガスの圧力に耐え得る耐圧ホースであり、砲Ｃの接続部Ｃｂに接続する。
【００１５】
ここで、抽出装置は、砲腔Ｃａから砲弾Ｓを押出すのに必要なガスの発生量及び圧力に応じて、ガス発生剤３及び開始剤４の種類や量、収容器２における分離膜１の配置すなわち一方及び他方の空間２Ａ，２Ｂの容積、ガスホース５の口径などを決定する。したがって、抽出装置は、一つの砲弾Ｓを抽出するだけのガスを発生させる使い切り式の装置であって、非常に小型で且つ軽量である。
【００１６】
上記の抽出装置は、砲Ｃに装填した砲弾Ｓが不発射になった場合に、砲Ｃの接続部Ｃｂの栓部材を外してガスホース５を接続し、収容器２を人為的に圧縮することにより分離膜１を破壊する。具体的には、収容器２を踏み付けることにより、ガス発生剤３を介して分離膜１を加圧破壊する。これにより、ガス発生剤３が開始剤４に溶解されて化学反応によりガスが発生し、そのガスをガスホース５から砲腔Ｃａの底部に供給することで、同ガスの圧力により砲弾Ｓを砲腔Ｃａから押出すことができる。
【００１７】
このように、上記の抽出装置は、不発射になった砲弾Ｓを直接的に取扱う必要が無いうえに、ガス発生剤３と開始剤４を用いた使い切り式の装置であるから、安全性の確保と装備の小型軽量化の両立を実現することができる。ガスボンベを用いた従来の装置に比べれば、複数個の収容器２を用意しておいても装備全体は非常に小型で軽量である。
【００１８】
図２に示す抽出装置は、図１に示すものと同等の構成を備えていると共に、ガス発生剤３が所定形状（図示例では板状）に固形化してあり、このガス発生剤３を人為的に破砕することにより分離膜１を破壊するものとなっている。具体的には、収容器２の外側からガス発生剤３を折るように破砕することで、その破断部分で分離膜１を剪断破壊する。この実施形態の場合も、先の実施形態と同様の作用及び効果を得ることができる。
【００１９】
なお、本発明の前込め式砲弾の抽出装置は、その構成が上記各実施形態のみに限定されるものでは無く、本発明の要旨を逸脱しない範囲で構成の細部を適宜変更することができる。また、ガス発生剤及び開始剤にあっては、様々な種類のものを採用することが可能であるが、安全性や環境等を考慮すれば、無害のガスを発生させるものが好ましい。
【符号の説明】
【００２０】
Ｃ    砲
Ｃａ  砲腔
Ｓ    砲弾
１    分離膜
２    収容器
２Ａ  一方の空間
２Ｂ  他方の空間
３    ガス発生剤
４    開始剤
５    ガスホース
【図１】
0005871658.tif 000002
【図２】
0005871658.tif 000003